【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
式：
【化１】
1997179259.tif 000001
（前記式中、
Ｒ1 は、アルキル、アリール、複素環式およびアミノ基からなる群より選ばれ、Ｒ1 は、環“Ａ”の一員である他の炭素原子に結合する環を形成してもよく；
各Ｒ2 は、独立して、０以下のハメットシグマ値を有する置換基からなる群より選ばれ、そしてｍは１〜４であり；
ｎ個の炭素原子の各々についての各Ｒ3 およびＲ4 は、独立して水素、アルコキシ、アリール、複素環式、アリールオキシおよびアルキル基からなる群より選ばれ、そしてｎは０〜１６であり；
各Ｒ5 は、独立してハロゲン、アミノ、アルキル基、および酸素またはイオウにより“Ｂ”環に連結した基からなる群より選ばれ、そしてｐは１〜３であり、２個のＲ5 基は一緒になって環を形式してもよく；
各Ｌは、独立して２価の連結基であり、そしてｑは０〜３であり；そして
環“Ａ”は、環“Ｂ”の３−，４−または５−位に間接的に結合し；
Ｒ6 は、アルキル、アリールおよびアミノ基からなる群より選ばれ；そして
（１）Ｒ5 がハロゲンの場合は、Ｚは水素または
（ａ）アリールオキシまたはアリールチオ基；
（ｂ）５−もしくは６−員環に１個もしくは２個の窒素原子を含有する複素環式基であって、基Ｚがカプラー残基にその環の窒素原子を介して結合している複素環式基；および
（ｃ）ベンゾトリアゾール基であって、基Ｚがカプラー残基にそのトリアゾール基の窒素原子を介して結合しているベンゾトリアゾール基、
からなる群より選ばれるカプリング離脱基であり；そして
（２）いずれのＲ5 もハロゲンでない場合は、Ｚは水素、またはカプラーが発色現像主薬酸化体と反応した際カプリング離脱できる基である）
を有する開鎖α−カルボニルアセトアニリドイエロー色素形成性カプラーが組み合わさった感光性ハロゲン化銀乳剤層を含んでなる写真要素。
【請求項２】
Ｒ1 が結合するアシルオキシ基に対してオルソ位に位置する、環“Ａ”上のＲ2 置換基が少くとも１個存在する請求項１記載の写真要素。
【請求項３】
Ｒ1 が結合するアシルオキシ基に対してオルソ位に位置する、環“Ａ”上の少くとも１個のＲ2 置換基が枝状である請求項２記載の写真要素。
【請求項４】
Ｒ1 が結合するアシルオキシ基に対してオルソ位に位置する、環“Ａ”上の少くとも１個のＲ2 置換基が枝状アルキル基である請求項３記載の写真要素。
【請求項５】
Ｒ1 が結合するアシルオキシ基に対してオルソ位に位置する、環“Ａ”上の少くとも１個のＲ2 置換基がｉ−プロピル、ｔ−ブチル、ｔ−アミルおよびｔ−オクチル基からなる群より選ばれる請求項４記載の写真要素。
【請求項６】
Ｒ1 が少くとも４個の炭素原子を含む請求項１記載の写真要素。
【手続補正２】
【補正対象書類名】明細書
【補正対象項目名】０００３
【補正方法】変更
【補正の内容】
【０００３】
カラー写真画像を形成するためには、カラー写真材料を像様露光し、芳香族第一アミン発色現像主薬を含む発色現像液で処理する。画像色素は、これらのカプラーと、発色現像主薬酸化体とのカプリング反応により形成される。一般に、良好なカラー再現性を有すカラー写真画像を得るためには、熱および光に対して良好な安定性を有し、しかも望ましくは適切なピーク吸収の吸収曲線を有しそして望ましくはサイド（ｓｉｄｅ) 吸収が低い画像色素が得られるように画像カプラーを選択する。


【手続補正３】
【補正対象書類名】明細書
【補正対象項目名】００１１
【補正方法】変更
【補正の内容】
【００１１】
（前記式中、
Ｒ1 は、アルキル、アリール、複素環式およびアミノ基からなる群より選ばれ、Ｒ1 は、環“Ａ”の一員である他の炭素原子に結合する環を形成してもよく；
各Ｒ2 は、独立して、０以下のハメットシグマ値を有する置換基からなる群より選ばれ、そしてｍは１〜４であり；
ｎ個の炭素原子の各々についての各Ｒ3 およびＲ4 は独立して水素、アルコキシ、アリール、複素環式、アリールオキシおよびアルキル基からなる群より選ばれ、そしてｎは０〜１６であり；
各Ｒ5 は、独立してハロゲン、アミノ、アルキル基、および酸素またはイオウにより“Ｂ”環に連結した基からなる群より選ばれ、そしてｐは１〜３であり、２個のＲ5 基は一緒になって環を形式してもよく；
各Ｌは、独立して２価の連結基であり、そしてｑは０〜３であり；そして
環“Ａ”は、環“Ｂ”の３−，４−または５−位に間接的に結合し；
Ｒ6 は、アルキル、アリールおよびアミノ基からなる群より選ばれ；そして
（１）Ｒ5 からハロゲンの場合は、Ｚは水素または
（ａ）アリールオキシまたはアリールチオ基；
（ｂ）５−もしくは６−員環に１個もしくは２個の窒素原子を含有する複素環式基であって、基Ｚがカプラー残基にその環の窒素原子を介して結合している複素環式基；および
（ｃ）ベンゾトリアゾール基であって、基Ｚがカプラー残基にそのトリアゾール基の窒素原子を介して結合しているベンゾトリアゾール基、
からなる群より選ばれるカプリング離脱基であり；そして
（２）いずれのＲ5 もハロゲンでない場合は、Ｚは水素、またはカプラーが発色現像主薬酸化体と反応した際カプリング離脱できる基である）
を有する開鎖α−カルボニルアセトアニリドイエロー色素形成性カプラーが組み合わさった感光性ハロゲン化銀乳剤層を含んでなる写真要素を提供する。


【手続補正４】
【補正対象書類名】明細書
【補正対象項目名】００１３
【補正方法】変更
【補正の内容】
【００１３】
【発明の実施の形態】
本発明が目指すカプラーは、前記の「課題を解決するための手段」に示したとおりである。
Ｒ1 は、環“Ａ”上のアシルオキシ基に結合した置換基である。この基はアルキル、アリール、複素環式、またはアミノ基であってもよい。またＲ1 は、環“Ａ”の一員である他の炭素原子に結合した環を形成してもよい。アルキル（シクロアルキルおよび枝状アルキルを含む）、アミノ、縮合アルキルおよびアリール基が特に適切である。メチル、イソプロピル、縮合アルキル、ｔ−ブチル、ジメチルアミノ、ジエチルアミノ、フェニルおよび縮合アミノが特に適切である。


【手続補正５】
【補正対象書類名】明細書
【補正対象項目名】００１４
【補正方法】変更
【補正の内容】
【００１４】
各Ｒ2 は、フェノキシ環“Ａ”上の置換基であり、これらの置換基は４個まで存在することができる。この置換基は、０以下のハメットシグマ値を有する置換基から広く選択できる。ハメットシグマ値は、C.HanschおよびA.J.Leo の“Substituent Constants for Correlation Analysis in Chemistry and Biology" Wiley, New York N.Y. １９７９年に記載されている。一般に、０未満の値は、置換基が水素に関して電子供与効果を有することを意味する。従って、Ｒ2 は電子供与性である。少くとも１個のＲ2 基がＲ1 基を含むアシルオキシ基に対してオルソに位置することをさらに条件とする。Ｒ2 がアルキル、アルコキシまたはアミノ化合物であることが適切である。好ましい化合物としてはチオルアルキル、ジアルキルアミノ並びに分枝状のアルキルおよびアルコキシ基である。適例としてはｔ−ブチル、ｔ−ペンチル、ｔ−オクチルおよびイソプロピルが挙げられる。


【手続補正６】
【補正対象書類名】明細書
【補正対象項目名】００２２
【補正方法】変更
【補正の内容】
【００２２】
Ｚに関しては、
（１）Ｒ5 がハロゲンの場合は、Ｚは水素または
（ａ）アリールオキシまたはアリールチオ基；
（ｂ）５−もしくは６−員環に１個もしくは２個の窒素原子を含有する複素環式基であって、基Ｚがカプラー残基にその環の窒素原子を介して結合している複素環式基；および
（ｃ）ベンドトリアゾール基であって、基Ｚがカプラー残基にそのトリアゾール基の窒素原子を介して結合しているベンゾトリアゾール基、
からなる群より選ばれるカプリング離脱基であり；そして
（２）いずれのＲ5 もハロゲンでない場合は、Ｚは水素、またはカプラーが発色現像主薬酸化体と反応した際カプリング離脱できる基である。後者の場合、以下にさらに詳細に述べるように、当該技術分野で知られている任意の適切なカプリング離脱基を用いることができる。典型的なこのような基としては、アリールオキシ、アリールチオおよび窒素複素環式基が挙げられる。望ましい場合には、カプリング離脱基は、いわゆるタイミング基を、写真有用基（“ＰＵＧ”）と共に含むことができ、このタイミング基によりＰＵＧをカプラーの初期位置から拡散させて、現像抑制、漂白補助等の機能を発揮させることができる。このような基は、以下にさらに詳細に記載する。


【手続補正７】
【補正対象書類名】明細書
【補正対象項目名】００８０
【補正方法】変更
【補正の内容】
【００８０】
３．前記カプリング離脱基が、アリールオキシ基またはアリールチオ基である請求項１記載の写真要素。
４．ｍが少くとも１である請求項１記載の写真要素。


【手続補正８】
【補正対象書類名】明細書
【補正対象項目名】００８１
【補正方法】削除
【補正の内容】
【手続補正９】
【補正対象書類名】明細書
【補正対象項目名】００８２
【補正方法】変更
【補正の内容】
【００８２】
５．少なくとも１個のＲ5 が、環“Ｂ”の２−，４−または６−位で結合されている請求項１記載の写真要素。